(57)【特許請求の範囲】
【請求項１】
ターゲット基地局によるハンドオーバ動作管理のための方法であって、
ソース基地局から受信されたユーザ機器（ＵＥ）の基準信号構成に少なくとも部分的に基づいて、前記ＵＥに関連付けられた基準信号情報をモニタすることと、
前記基準信号情報に少なくとも部分的に基づいて、前記ＵＥについてのタイミング情報を推定することと、
前記ソース基地局と前記ターゲット基地局との間のハンドオーバ準備動作中に、前記ソース基地局に前記タイミング情報を送信することと、
前記ハンドオーバ準備動作中に、物理アップリンク共有チャネル（ＰＵＳＣＨ）リソースをネゴシエートすることと、
前記ＵＥによって前記ターゲット基地局に対して送信するために使用されるアップリンクリソースが前記ターゲット基地局のためのアップリンクグラントにおいて前記ソース基地局によって割り当てられた後に、前記ＵＥからのアップリンクデータ送信を少なくとも1つの最初の利用可能なＰＵＳＣＨリソース上で受信することと、
を備える、方法。
【請求項２】
前記タイミング情報が前記ＵＥによって受信された後に、半永続的な手法で、ＰＵＳＣＨを利用して、前記ＵＥからのメッセージを受信することをさらに備える、請求項１に記載の方法。
【請求項３】
ソース基地局とターゲット基地局との間のハンドオーバ動作のための装置であって、
ユーザ機器（ＵＥ）に関連付けられた基準信号情報を受信するように構成されたトランシーバと、
情報を記憶するように構成されたメモリと、
前記メモリと通信状態にあるプロセッサと、
を備え、前記プロセッサ及び前記メモリは、
前記ソース基地局から受信された前記ＵＥの基準信号構成に少なくとも部分的に基づいて、前記ＵＥに関連付けられた前記基準信号情報をモニタすることと、
前記基準信号情報に少なくとも部分的に基づいて、前記ＵＥについてのタイミング情報を推定することと、
前記ソース基地局と前記ターゲット基地局との間のハンドオーバ準備動作中に、前記トランシーバを介して、前記ソース基地局に前記タイミング情報を送信することと、
前記ハンドオーバ準備動作中に、物理アップリンク共有チャネル（ＰＵＳＣＨ）リソースをネゴシエートすることと、
前記ＵＥによって前記ターゲット基地局に対して送信するために使用されるアップリンクリソースが前記ターゲット基地局のためのアップリンクグラントにおいて前記ソース基地局によって割り当てられた後に、前記ＵＥからのアップリンクデータ送信を少なくとも1つの最初の利用可能なＰＵＳＣＨリソース上で受信することと、
を行うように構成される、装置。
【請求項４】
前記トランシーバは、前記タイミング情報が前記ＵＥによって受信された後に、半永続的な手法で、ＰＵＳＣＨを利用して、前記ＵＥからのメッセージを受信するようにさらに構成される、請求項３に記載の装置。
【請求項５】
請求項１乃至２のいずれかの方法を遂行するための命令を備える、コンピュータプログラム
【発明の詳細な説明】
【優先権の主張】
【０００１】
[0001]  これは、２０１４年１０月３０日に出願された「ＴＥＣＨＮＩＱＵＥＳ  ＦＯＲ  ＨＡＮＤＯＶＥＲ  ＰＲＯＣＥＤＵＲＥ  ＭＡＮＡＧＥＭＥＮＴ」と題する米国仮出願第６２／０７２，８７４号、及び、２０１５年９月２５日に出願され且つ「ＴＥＣＨＮＩＱＵＥＳ  ＦＯＲ  ＨＡＮＤＯＶＥＲ  ＰＲＯＣＥＤＵＲＥ  ＭＡＮＡＧＥＭＥＮＴ」と題する米国特許出願第１４／８６６，５４６に対して優先権を主張する出願であり、それらは、それらの全体において本明細書に参照によって明示的に組み込まれる。
【背景技術】
【０００２】
[0002]  説明される態様は、概して、ワイヤレス通信システムに関する。より具体的には、説明される態様は、ハンドオーバプロシージャ管理のための技法に関する。
【０００３】
[0003]  ワイヤレス通信システムは、電話通信、ビデオ、データ、メッセージング、及びブロードキャスト等の様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、及び時分割同期符号分割多元接続（ＴＤ−ＳＣＤＭＡ）システムを含む。これらの多元接続技術は、異なるワイヤレスデバイスが都市、国家、地域、さらには地球規模で通信することを可能にする共通プロトコルを提供するように様々な電気通信規格において採用されている。
【０００４】
[0004]  新興の電気通信規格の例は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格の拡張セットである。それは、スペクトル効率を改善することによってモバイルブロードバンドインターネットアクセスをより良くサポートし、コストを下げ、サービスを改善し、新たなスペクトルを利用し、ダウンリンク（ＤＬ）上においてＯＦＤＭＡを、アップリンク（ＵＬ）上においてＳＣ−ＦＤＭＡを、及び多入力多出力（ＭＩＭＯ）アンテナ技術を使用して、他のオープン規格とより良く統合するよう設計される。しかしながら、モバイルブロードバンドアクセスに対する需要が増大し続けるにつれ、ＬＴＥ技術におけるさらなる改善の必要性が存在する。望ましくは、これらの改善は、これらの技術を用いる他の多元接続技術及び電気通信規格に適用可能であるべきである。
【０００５】
[0005]  ＬＴＥを用いているワイヤレス通信システムにおいて、ＵＥが、ソース基地局に通信状態であるものの、例えばターゲット基地局にハンドオーバされつつある時、ＵＥは、ＵＥに関連付けられているタイミング情報、例えば、ＵＥについてのタイミングアドバンス（ＴＡ）を決定するために、ターゲット基地局に対する物理ランダムアクセスチャネル（ＰＲＡＣＨ）上において、関連情報を送信し得る。ＰＲＡＣＨ上での関連情報の送信を含むプロシージャは、ハンドオーバプロシージャにおける重大なレイテンシを引き起こし得る。ハンドオーバプロシージャに付加されるレイテンシは、例えば、そのプロシージャ中のサービスの中断をもたらし得る。
【０００６】
[0006]  それゆえ、ＵＥがソース基地局からターゲット基地局へハンドオーバされる時におけるレイテンシを削減する技法の要求が存在する。
【発明の概要】
【０００７】
[0007]  下記は、１つ又は複数の態様の基本的な理解を提供するために、そのような態様の簡潔化された概要を提示する。この概要は、全ての考慮された態様の広範な概観ではなく、全ての態様の鍵となる要素又は重要な要素を特定することも、任意の態様又は全ての態様の範囲を詳述することも意図されない。その唯一の目的は、１つ又は複数の態様のいくつかの概念を、後に提示されるより詳細な説明への前置きとして、簡潔な形で提示することである。
【０００８】
[0008]  本開示は、ハンドオーバプロシージャを管理するための技法の例を、提示する。一例の方法は、ソース基地局から受信されたＵＥの基準信号構成に少なくとも部分的に基づいて、ＵＥに関連付けられた基準信号情報をモニタすることを含み得る。加えて、その例の方法は、基準信号情報に少なくとも部分的に基づいて、ＵＥについてのタイミング情報を推定することを含み得る。さらに、その例の方法は、ソース基地局にタイミング情報を送信することを含み得る、ここにおいて、ソース基地局は、ターゲット基地局へのハンドオーバのために、ＵＥにタイミング情報を提供する。
【０００９】
[0009]  一例の装置は、ソース基地局から受信されたＵＥの基準信号構成に少なくとも部分的に基づいて、ＵＥに関連付けられた基準信号情報をモニタする手段のための手段を含み得る。加えて、その例の装置は、基準信号情報に少なくとも部分的に基づいて、ＵＥについてのタイミング情報を推定するための手段を、含み得る。さらに、その例の装置は、ソース基地局にタイミング情報を送信するための手段を含み得る、ここにおいて、ソース基地局は、ターゲット基地局へのハンドオーバのために、ＵＥにタイミング情報を提供する。
【００１０】
[0010]  コンピュータ実行可能なコードを記憶する一例のコンピュータ可読媒体は、ソース基地局から受信されたＵＥの基準信号構成に少なくとも部分的に基づいて、ＵＥに関連付けられた基準信号情報をモニタするためのコードを含み得る。加えて、その例のコンピュータ可読媒体は、基準信号情報に少なくとも部分的に基づいて、ＵＥについてのタイミング情報を推定するためのコードを含み得る。さらに、その例のコンピュータ可読媒体は、ソース基地局にタイミング情報を送信するためのコード、ここにおいて、ソース基地局は、ターゲット基地局へのハンドオーバのために、ＵＥにタイミング情報を提供する。
【００１１】
[0011]  別の例の装置は、ソース基地局から受信されたＵＥの基準信号構成に少なくとも部分的に基づいて、ＵＥに関連付けられた基準信号情報をモニタするように構成された基準信号モニタを含み得る。さらに、その例の装置は、基準信号情報に少なくとも部分的に基づいて、ＵＥについてのタイミング情報を推定するように構成されたタイミング推定器を含み得る。加えて、その例の装置は、ソース基地局にタイミング情報を送信するように構成された通信モジュールを含み得る、ここにおいて、ソース基地局は、ターゲット基地局へのハンドオーバのために、ＵＥにタイミング情報を提供する。
【００１２】
[0012]  ソース基地局によるハンドオーバプロシージャ管理のための別の例の方法は、ターゲット基地局に、ＵＥの基準信号構成を送信することを含み得る。加えて、その例の方法は、ターゲット基地局からタイミング情報を受信することを含み得る、ここにおいて、タイミング情報は、基準信号構成を使用してターゲット基地局によってモニタされる、ＵＥの基準信号情報に少なくとも部分的に基づいて、ターゲット基地局によって推定され得る。さらに、その例の方法は、ＵＥにタイミング情報を送信することを含み得る。少なくともいくつかの例において、ソース基地局によるハンドオーバプロシージャ管理のためのその例の方法はまた、コンピュータ可読媒体内に記憶されたコード、装置、又は他のデバイスとして、実現され得る。
【図面の簡単な説明】
【００１３】
[0013]  開示される態様は、開示される態様を限定するためではなく例示するために提供される、下記の添付図面と併せて以下に説明され、ここにおいて、同様の表記は同様の要素を表す。
【図１】[0014]  図１は、ハンドオーバプロシージャ管理が実現され得るワイヤレス通信システムを例示するブロック図である。
【図２】[0015]  図２は、ハンドオーバプロシージャ管理のための態様を有するアクセスネットワークの例を例示するブロック図である。
【図３】[0016]  図３は、ハンドオーバプロシージャ管理のためのＬＴＥにおけるダウンリンク（ＤＬ）フレーム構造を例示するブロック図である。
【図４】[0017]  図４は、ハンドオーバプロシージャ管理のためのＬＴＥにおけるＵＬフレーム構造を例示するブロック図である。
【図５】[0018]  図５は、ハンドオーバプロシージャ管理のためのユーザプレーン及び制御プレーンのための無線プロトコルアーキテクチャの例を例示するブロック図である。
【図６】[0019]  図６は、ハンドオーバプロシージャ管理のための態様を有するアクセスネットワークにおける発展型ノードＢ及びユーザ機器の例を例示するブロック図である。
【図７Ａ】[0020]  図７Ａは、ハンドオーバプロシージャ管理が実現され得るターゲット基地局での１つ又は複数のコンポーネントを例示する図である。
【図７Ｂ】[0021]  図７Ｂは、ハンドオーバプロシージャ管理が実現され得るソース基地局での１つ又は複数のコンポーネントを例示する図である。
【図８】[0022]  図８は、ハンドオーバプロシージャ管理が実現され得るコールフローの一例である。
【図９】[0023]  図９は、ハンドオーバプロシージャ管理が実現され得るコールフローの別の例である。
【図１０Ａ】[0024]  図１０Ａは、ハンドオーバプロシージャ管理のための方法の態様のフローチャートである。
【図１０Ｂ】[0025]  図１０Ｂは、ハンドオーバプロシージャ管理のための別の方法の態様のフローチャートである。
【図１１】[0026]  図１１は、ハンドオーバプロシージャ管理が実現され得る例示的な装置における異なるモジュール／手段／コンポーネント間におけるデータフローを例示する概念的データフロー図である。及び
【発明を実施するための形態】
【００１４】
[0027]  添付された図面に関連して、下記の詳細な説明は、様々な構成の説明として意図され、本明細書において説明される概念が実施され得る唯一の構成を表すようには意図されない。詳細な説明は、様々な概念の十分な理解を提供することを目的とした特定の詳細を含む。しかしながら、これらの概念がこれらの特定の詳細なしに実施され得ることは、当業者にとって明らかであろう。いくつかの例において、そのような概念を曖昧にすることを避けるために、よく知られた構造及びコンポーネントがブロック図形式で示される。
【００１５】
[0028]  ここでは、電気通信システムのいくつかの態様が、様々な装置及び方法を参照して提示されるであろう。これらの装置及び方法は、以下の詳細な説明において説明され、付随の図面において、様々なブロック、モジュール、コンポーネント、回路、ステップ、処理、アルゴリズム等（「要素」と総称される）により例示されるであろう。これらの要素は、電子ハードウェア、コンピュータソフトウェア、又はそれらの組み合わせを使用して実現され得る。そのような要素がハードウェアとして又はソフトウェアとして実現されるかどうかは、特定のアプリケーション及びシステム全体上に課せられる設計制約に依存する。
【００１６】
[0029]  例として、要素、又は要素の任意の一部、又は要素の任意の組み合わせは、１つ又は複数のプロセッサを含む「処理システム」を用いて実現され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック、ディスクリートハードウェア回路、及び、本開示全体を通して説明される様々な機能性を遂行するように構成された他の適したハードウェアを含む。処理システム内の１つ又は複数のプロセッサは、ソフトウェアを実行し得る。ソフトウェアは、ソフトウェア、ファームウェア、ミドルウェア、マイクロコード、ハードウェア記述言語、又はその他で称されるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。
【００１７】
[0030]  従って、１つ又は複数の態様において、説明された機能は、ハードウェア、ソフトウェア、ファームウェア、又はそれらの任意の組み合わせで実現され得る。ソフトウェアで実現される場合、機能は、コンピュータ可読媒体上で１つ又は複数の命令又はコードとして記憶又は符号化され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ又は他の光学ディスク記憶装置、磁気ディスク記憶又は他の磁気記憶デバイス、又は、命令又はデータ構造の形で所望のプログラムコードを搬送又は記憶するために使用されることができ、コンピュータによってアクセスされることができる任意の他の媒体を、備えることができる。本明細書で使用される、ディスク（ｄｉｓｋ）及びディスク（ｄｉｓｃ）は、コンパクトディスク（ＣＤ）、レーザーディスク（登録商標）、光学ディスク、デジタル多用途ディスク（ＤＶＤ）、及びフロッピー（登録商標）ディスクを含み、ここにおいて、ディスク（ｄｉｓｋ）は通常、データを磁気的に再生し、この一方でディスク（ｄｉｓｃ）は、データをレーザで光学的に再生する。上記の組み合わせはまた、コンピュータ可読媒体の範囲内に含まれるべきである。
【００１８】
[0031]  本明細書では、サブフレームより小さな持続期間（例えば、１シンボル、２シンボル、サブフレームスロット等）を有する送信時間間隔（ＴＴＩ：transmission time interval）に基づくアップリンクフレーム構造にしたがったワイヤレスネットワークにおける通信に関する様々な態様が説明され、それは、本明細書において超低レイテンシ（ＵＬＬ）通信と称される。これに関して、通信におけるより低いレイテンシは、より短く、より頻繁なＴＴＩによって達成される。例えば、ＬＴＥが１ミリ秒（ｍｓ）のサブフレームＴＴＩ持続期間を有する場合、代わりに、本態様は、通常の巡回プリフィックス（ＣＰ）のＬＴＥより約１４倍小さい及び拡張ＣＰのＬＴＥより約１２倍小さいレイテンシを達成できるシンボル持続期間を利用し得る。加えて、ハイブリッド自動再送要求（ＨＡＲＱ）プロセス及びスケジューリングに関するレイテンシは、それに応じて、同様に削減される。
【００１９】
[0032]  一例において、ＵＬＬのためのフレーム構造は、ＬＴＥ通信と（例えば、少なくとも発展型ノードＢ（ｅＮＢ）において)共存するように設計されることができる。従って、例えば、ＵＬＬのためのフレーム構造は、ＬＴＥ周波数帯の範囲内及びデータ部（例えば、ＬＴＥの制御部分を含まない）の範囲内で定義されることができる。その上、ＬＴＥデータ部の少なくとも一部分は、これに関して、ＵＬＬのための制御及びデータ通信に分割されることができ、それは、複数のＲＢを各々が備える１つ又は複数のリソースブロック（ＲＢ）グループに、さらに分割されることができる。このように、制御及びデータ領域は、ＵＬＬ通信のためのＲＢグループ上で同様に定義され得る。ＵＬＬのための制御チャネルは、本明細書において、ＵＬＬ  ＰＵＣＣＨ(ｕＰＵＣＣＨ、及びｖＰＵＣＣＨと本明細書ではまた称される)と称されることができ、及び、ＵＬＬのためのデータチャネルは、本明細書において、ＵＬＬ  ＰＵＳＣＨ(ｕＰＵＳＣＨ、及びｖＰＵＳＣＨと本明細書ではまた称される)と称されることができる。その上、ＵＬＬ基準信号（ｕＲＳ、及びｖＲＳと本明細書ではまた称される）の送信のための領域はまた、ＬＴＥデータ領域の範囲内において定義され得る。加えて、ＵＥがこれに関してＵＬＬ及びＬＴＥの両方をサポートする場合、衝突防止は、ＵＥがＵＬＬ及びＬＴＥ通信のための競合するリソースに割り当てられ得る場合に、利用され得る。
【００２０】
[0033]  それゆえ、現在説明される技法はハンドオーバプロシージャのためのより低いレイテンシを提供するので、本態様は、ＵＥが基地局間で遷移する時において特に有益であり得る。
【００２１】
[0034]  まず図１を参照すると、図は、本開示の態様に従ったワイヤレス通信システム１００の例を、例示する。ワイヤレス通信システム１００は、複数のアクセスポイント（例えば、基地局、ｅＮＢ、又はＷＬＡＮアクセスポイント）１５５、いくつかのユーザ機器（ＵＥ）１１５、及びコアネットワーク１３０を含む。
【００２２】
[0035]  ＵＥ１１５がソース基地局１０５−ａと通信状態でるが、ターゲット基地局１０５に例えばハンドオーバされつつある時において、ターゲット基地局１０５は、ＵＥ１１５に関連付けられた基準信号情報に少なくとも部分的に基づいて、ＵＥ１１５についてのタイミング情報、例えば、タイミングアドバンス（ＴＡ）を推定するように構成され得る。基準信号情報、例えばサウンディング基準信号（ＳＲＳ）は、ソース基地局１０５−ａとターゲット基地局１０５との間におけるハンドオーバ準備動作の前において又はハンドオーバ準備動作の一部として、ソース基地局１０５−ａからターゲット基地局１０５によって受信された基準信号構成（reference signal configuration）に基づいて、ＵＥ１１５によって提供され得、及び、ターゲット基地局１０５によってトラック（track）又はモニタ(monitor)され得る。
【００２３】
[0036]  タイミング情報は、計算され及び無線リソース制御（ＲＲＣ）再構成メッセージでＵＥ１１５に提供されることができるため、ＰＲＡＣＨを経由するタイミング情報の送信は、もはや必要ない場合がある。かくして、ＰＲＡＣＨを経由する送信によって引き起こされるレイテンシは、取り除かれることができ、ハンドオーバプロシージャは、迅速化され得る。
【００２４】
[0037]  アクセスポイント１５５は、バックホールリンク１３２を通じてコアネットワーク１３０と制御情報及び／又はユーザデータを通信し得る。アクセスポイント１５５は、ターゲット基地局１０５及びソース基地局１０５−ａを含み得る。例において、複数のアクセスポイント１５５は、バックホールリンク１３４を経由して互いに直接又は間接のどちらかで通信し得、それは有線又はワイヤレス通信リンクであり得る。ワイヤレス通信システム１００は、複数のキャリア（異なる周波数の波形信号）における動作をサポートし得る。マルチキャリア送信器は、複数のキャリア上で、変調された信号を同時に送信することができる。例えば、各通信リンク１２５は、上述された様々な無線技術にしたがって変調されたマルチキャリア信号であり得る。各変調された信号は、異なるキャリア上で送られ得、制御情報（例えば、基準信号、制御チャネル、等）、オーバヘッド情報、データ等を搬送し得る。
【００２５】
[0038]  いくつかの例において、ワイヤレス通信システム１００の少なくとも一部分は、１つ又は複数のＵＥ１１５及び１つ又複数のアクセスポイント１５５が、別の階層的レイヤに対して削減されたレイテンシを有するある階層的レイヤにおける送信をサポートするように構成され得る複数の階層的レイヤにおいて動作するように構成され得る。いくつかの例において、ハイブリッドＵＥ１１５−ａは、第１サブフレームタイプの第１レイヤ送信をサポートする第１階層的レイヤと第２サブフレームタイプの第２レイヤ送信をサポートする第２階層的レイヤの両方において、ソース基地局１０５−ａと通信し得る。例えば、ソース基地局１０５−ａは、第１サブフレームタイプのサブフレームと二重時分割された第２サブフレームタイプのサブフレームを送信し得る。
【００２６】
[0039]  いくつかの例において、ハイブリッドＵＥ１１５−ａは、例えば、ＨＡＲＱスキームを通じて送信に関する肯定応答（ＡＣＫ）／否定応答（ＮＡＣＫ）を提供することによって、送信の受領を確認し得る。第１階層的レイヤにおける送信に関するハイブリッドＵＥ１１５−ａからの肯定応答は、いくつかの例において、送信が受信されたサブフレームに続く所定の個数のサブフレームの後に、提供され得る。ハイブリッドＵＥ１１５−ａは、第２階層的レイヤにおいて動作している場合、例において、送信が受信されたサブフレームと同じサブフレームで受領を確認し得る。ＡＣＫ／ＮＡＣＫを送信し及び再送を受信するために必要とされる時間は、ラウンドトリップ時間（ＲＴＴ）と称され得、したがって、第２サブフレームタイプのサブフレームは、第１サブフレームタイプのサブフレームのためのＲＴＴより短い第２ＲＴＴを有し得る。
【００２７】
[0040]  他の例において、第２レイヤのＵＥ１１５−ｂは、第２階層的レイヤ上のみで基地局１０５−ｂと通信し得る。このように、ハイブリッドＵＥ１１５−ａ及び第２レイヤのＵＥ１１５−ｂは、第２階層的レイヤ上で通信し得るＵＥ１１５の第２クラスに属し得、その一方でレガシーＵＥ１１５は、第１階層的レイヤ上のみで通信し得るＵＥ１１５の第１クラスに属し得る。基地局１０５−ｂ及びＵＥ１１５−ｂは、第２サブフレームタイプのサブフレームの送信を通じて、第２階層的レイヤ上で通信し得る。基地局１０５−ｂは、ただ第２サブフレームタイプのサブフレームだけを送信し得、又は、第２サブフレームタイプのサブフレームと時分割多重化された第１階層的レイヤ上の第１サブフレームタイプの１つ又は複数のサブフレームを送信し得る。第２レイヤＵＥ１１５−ｂは、基地局１０５−ｂが第１サブフレームタイプのサブフレームを送信する場合、第１サブフレームタイプのそのようなサブフレームを無視し得る。このように、第２レイヤＵＥ１１５−ｂは、送信が受信されたサブフレームと同じサブフレームで送信の受領を、確認し得る。このように、第２レイヤＵＥ１１５−ｂは、第１階層的レイヤ上で動作するＵＥ１１５に比較して削減されたレイテンシで、動作し得る。
【００２８】
[0041]  アクセスポイント１５５は、１つ又は複数のアクセスポイントアンテナを介してＵＥ１１５とワイヤレスで通信し得る。アクセスポイント１５５のサイトの各々は、それぞれのカバレッジエリア１１０のための通信カバレッジを提供し得る。いくつかの例において、アクセスポイント１５５は、ベーストランシーバ局、無線基地局、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、又は何らかの他の適した用語で称され得る。基地局に対するカバレッジエリア１１０は、カバレッジエリアの一部のみを構成する複数のセクタ（図示せず）に分割され得る。ワイヤレス通信システム１００は、異なるタイプのアクセスポイント１５５（例えば、マクロ、マイクロ、及び／又はピコ基地局）を含み得る。アクセスポイント１５５はまた、セルラ及び／又はＷＬＡＮ無線アクセス技術（ＲＡＴ）のような異なる無線技術を利用し得る。アクセスポイント１５５は、同じ又は異なるアクセスネットワーク又はオペレータ展開に関連付けられ得る。同じ又は異なるタイプのアクセスポイント１５５のカバレッジエリアを含み、同じ又は異なる無線技術を利用し、及び／又は、同じ又は異なるアクセスネットワークに属する異なるアクセスポイント１５５のカバレッジエリアは、重複し得る。
【００２９】
[0042]  ＬＴＥ／ＬＴＥ−Ａ及び／又はＵＬＬ  ＬＴＥネットワーク通信システムにおいて、発展型ノードＢ（ｅノードＢ又はｅＮＢ）という用語は、概して、アクセスポイント１５５を説明するために用いられ得る。ワイヤレス通信システム１００は、異なるタイプのアクセスポイントが様々な地理的領域にカバレッジを提供する異種ＬＴＥ／ＬＴＥ−Ａ／ＵＬＬ  ＬＴＥネットワークであり得る。例えば、各アクセスポイント１５５は、マクロセル、ピコセル、フェムトセル、及び／又は他のタイプのセルのための通信カバレッジを提供し得る。ピコセル、フェムトセル及び／又は他のタイプのセルのようなスモールセルは、低電力ノードすなわちＬＰＮを含み得る。マクロセルは、概して、比較的大きい地理的エリア（例えば、半径数キロメートル）をカバーし、ネットワークプロバイダとの、サービスに加入しているＵＥ１１５による無制限のアクセスを可能にし得る。スモールセルは、概して、比較的小さい地理的エリアをカバーし、ネットワークプロバイダのサービスに加入しているＵＥ１１５による無制限のアクセスを可能にし得、例えば、無制限のアクセスに加えて、スモールセルとの関連付けを有するＵＥ１１５（例えば、限定加入者グループ（ＣＳＧ）内のＵＥ、自宅内のユーザのためのＵＥ、等）による制限されたアクセスもまた提供し得る。マクロセルに対するｅＮＢは、マクロｅＮＢと称され得る。スモールセルに対するｅＮＢは、スモールセルｅＮＢと称され得る。ｅＮＢは、１つ又は複数（例えば、２つ、３つ、４つ、等）のセルをサポートし得る。
【００３０】
[0043]  コアネットワーク１３０は、バックホールリンク１３２（例えば、Ｓ１インターフェイス等）を介してｅＮＢ又は他のアクセスポイント１５５と通信し得る。アクセスポイント１５５はまた、例えば、バックホールリンク１３４（例えば、Ｘ２インターフェイス、等）を介して及び／又はバックホールリンク１３２を介して（例えば、コアネットワーク１３０を通じて）、直接的又は間接的に互いに通信し得る。ワイヤレス通信システム１００は、同期又は非同期動作をサポートし得る。同期動作では、アクセスポイント１５５は類似のフレームタイミングを有し得、異なるアクセスポイント１５５からの送信が時間的に近似に整列され得る。非同期動作では、アクセスポイント１５５は異なるフレームタイミングを有し得、異なるアクセスポイント１５５からの送信が時間的に整列されない場合がある。その上、第１階層的レイヤ及び第２階層的レイヤでの送信は、アクセスポイント１５５間で同期され得る、又は、同期されない場合がある。本明細書で説明される技法は、同期又は非同期動作のいずれかに対して使用され得る。
【００３１】
[0044]  ＵＥ１１５は、ワイヤレス通信システム１００全体にわたって分散され得、各ＵＥ１１５は、固定式又は移動可能であり得る。ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、又は何らかの他の適切な用語で称され得る。ＵＥ１１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、腕時計又はメガネのようなウェアラブルアイテム、ワイヤレスローカルループ（ＷＬＬ）局、等であり得る。ＵＥ１１５は、マクロｅノードＢ、スモールセルｅノードＢ、中継器等と通信することができ得る。ＵＥ１１５はまた、ＷＬＡＮアクセスネットワーク、又は、セルラ又は他のＷＷＡＮアクセスネットワークのような異なるアクセスネットワーク上で通信することができ得る。
【００３２】
[0045]  ワイヤレス通信システム１００で示されている通信リンク１２５は、ＵＥ１１５からターゲット基地局１０５へのアップリンク（ＵＬ）送信及び／又はターゲット基地局１０５からＵＥ１１５へのダウンリンク（ＤＬ）送信を含み得る。ダウンリンク送信はまた、順方向リンク送信と呼ばれ得、一方でアップリンク送信はまた、逆方向リンク送信と呼ばれ得る。通信リンク１２５は、いくつかの例において、通信リンク１２５内で多重化され得る各階層的レイヤの送信を搬送し得る。ＵＥ１１５は、例えば、多入力多出力（ＭＩＭＯ）、キャリアアグリゲーション（ＣＡ）、多地点協調（ＣｏＭＰ）、又は、他のスキームを通じて、複数のアクセスポイント１５５と共同して通信するように構成され得る。ＭＩＭＯ技法は、複数のデータストリームを送信するために、アクセスポイント１５５上の複数のアンテナ及び／又はＵＥ１１５上の複数のアンテナを使用する。キャリアアグリゲーションは、データ送信のための同じ又は異なるサービングセル上の２以上のコンポーネントキャリアを利用し得る。ＣｏＭＰは、ネットワーク及びスペクトル利用を増加させるだけでなく、ＵＥ１１５のための全送信品質を改善させるためのいくつかのアクセスポイント１５５による送信及び受信の調整のための技法を含み得る。
【００３３】
[0046]  既に述べたように、いくつかの例においてアクセスポイント１５５及びＵＥ１１５は、複数のキャリア上で送信するために、キャリアアグリゲーションを利用し得る。いくつかの例において、アクセスポイント１５５及びＵＥ１１５は、２以上の別個のキャリアを使用する第１サブフレームタイプを各々が有する１つ又は複数のサブフレームを、フレームの範囲内で、第１階層的レイヤで一斉に送信し得る。各キャリアは、例えば、２０ＭＨｚの帯域幅を有し得る、だがしかし他の帯域幅が利用され得る。ハイブリッドＵＥ１１５−ａ及び／又は第２レイヤＵＥ１１５−ｂは、ある例において、１つ又は複数の別個のキャリアの帯域幅より大きい帯域幅を有する単一のキャリアを利用する第２階層的レイヤ内における１つ又は複数のサブフレームを受信及び／又は送信し得る。例えば、４つの別個の２０ＭＨｚのキャリアが、第１階層的レイヤにおいてキャリアアグリゲーションスキームで使用される場合、単一の８０ＭＨｚのキャリアは、第２階層的レイヤにおいて使用され得る。８０ＭＨｚキャリアは、４つの２０ＭＨｚのキャリアのうちの１つ又は複数によって使用される無線周波数スペクトルに少なくとも部分的に重複する無線周波数スペクトルの一部分を占有し得る。いくつかの例において、第２階層的レイヤタイプのためのスケーラブル（scalable）な帯域幅は、さらに拡張されたデータレートを提供するために、上述のようなより短いＲＴＴを提供するための技法と組み合わせられ得る。
【００３４】
[0047]  ワイヤレス通信システム１００に用いられ得る異なる動作モードの各々は、周波数分割複信（ＦＤＤ）又は時分割複信（ＴＤＤ）にしたがって動作し得る。いくつかの例において、異なる階層的レイヤは、異なるＴＤＤ又はＦＲＲモードにしたがって動作し得る。例えば、第１階層的レイヤは、ＦＤＤにしたがって動作し得、その一方で第２階層的レイヤは、ＴＤＤにしたがって動作し得る。いくつかの例において、ＯＦＤＭＡ通信信号は、各階層的レイヤに対するＬＴＥダウンリンク送信のために通信リンク１２５内で使用され得、その一方でシングルキャリア周波数分割多元接続（ＳＣ−ＦＤＭＡ）通信信号は、各階層的レイヤにおけるＬＴＥアップリンク送信のために通信リンク１２５内で使用され得る。ワイヤレス通信システム１００のようなシステムにおける階層的レイヤの実現に関する付加的な詳細は、そのようなシステムにおける通信に関する他の特徴及び機能だけでなく、次の図表を参照して、以下に提供され得る。
【００３５】
[0048]  一態様において、ＵＥ１１５は、ソース基地局１０５−ａに含まれる基準信号構成コンポーネント７５０及び／又はハンドオーバマネージャ１１１によって決定された基準信号構成に従って、基準信号情報をソース基地局１０５−ａに送信するように構成され得る。基準信号情報、例えばサウンディング基準信号（ＳＲＳ）は、ＵＥ１１５のアップリンクパスのチャンネル品質を指し示す１つ又は複数の測定レポートを含み得る又は測定レポートに関連付けられ得る。基準信号構成は、ＵＥ１１５がどのように基準信号情報を送信し得るかを指し示している情報を少なくとも含み得る。かくして、ソース基地局１０５−ａは、基準信号構成に基づいて基準信号情報をモニタすることができ得る。
【００３６】
[0049]  さらに、ソース基地局１０５−ａは、ターゲット基地局１０５に基準信号構成を送信し得る。ターゲット基地局１０５のハンドオーバマネージャ１１２はその後、受信された基準情報構成に基づいて、ＵＥ１１５によって送信された基準信号情報をトラック又はモニタし得る。基準信号情報を用いて、ハンドオーバマネージャ１１２は、ＵＥ１１５についてのタイミング情報、例えば、タイミングアドバンス（ＴＡ）を推定し得る。一態様において、タイミング情報は、ＵＥ１１５とターゲット基地局１０５との間の距離によって影響される伝搬遅延を補償するためにタイミングオフセットを示し得る。
【００３７】
[0050]  推定されたタイミング情報はその後、ハンドオーバ準備プロシージャ中においてターゲット基地局１０５からソース基地局１０５−ａに送信され得る。本明細書で参照されるように、ハンドオーバ準備プロシージャは、ソース基地局１０５−ａからターゲット基地局１０５にＵＥ１１５をハンドオーバすることを準備するための１つ又は複数の動作を含み得る。いくつかの付加的な例において、ソース基地局１０５−ａ及びターゲット基地局１０５は、ハンドオーバ準備プロシージャ中において、物理アップリンク共有チャネル（ＰＵＳＣＨ:physical uplink shared channel）リソースをネゴシエート（negotiate）し得る。タイミング情報は、ソース基地局１０５−ａからＵＥ１１５に、ＲＲＣ再構成メッセージにおいてさらに送信され得る。ＲＲＣ再構成メッセージはまた、ＵＥ１１５に対して割り当てられたネゴシエートされたＰＵＳＣＨリソースを含み得る。
【００３８】
[0051]  いくつかの態様において、ＲＲＣ再構成メッセージを受信すると、ＵＥ１１５はまず、タイミング情報を取得するためにＲＲＣ再構成メッセージを解釈し得、その後、ターゲット基地局１０５に同調（tune）し得、及び半永続的（semi-persistent）な手法、例えば半永続的スケジューリング（ＳＰＳ：semi-persistent scheduling）において割り当てられたＰＵＳＣＨリソースを利用してターゲット基地局１０５に対する送信を開始し得る。送信は、ＲＲＣ再構成メッセージ内に含まれるタイミング情報に基づいて調整され得る。かくして、ＰＲＡＣＨ送信は必要でない場合があり、全体的なハンドオーバプロシージャは、迅速化され得る。いくつかの例において、全遅延は、３０ミリ秒から１０ミリ秒に削減され得る。
【００３９】
[0052]  さらに、いくつかの限定されない例において、ＵＥ１１５からターゲット基地局１０５への送信は、Ｒｅｌ．８におけるＭｓｇ．３、例えばセル無線ネットワーク一時識別子（Ｃ−ＲＮＴＩ）、バッファ状態レポート（ＢＳＲ）等を含み得る。半永続的な手法に代わるいくつかの態様において、ＵＥ１１５は、単一のサブフレームのためのアップリンクリソースに、割り当てられ得る。
【００４０】
[0053]  いくつかの他の態様において、ＲＲＣ再構成メッセージが受信された後、ＵＥ１１５は、直ぐにターゲット基地局１０５に同調しない場合があるが、アップリンクリソースがターゲット基地局１０５に対してソース基地局１０５−ａによって割り当てられるまで待機する場合がある。ダウンリンク制御情報（ＤＣＩ）における特別な指示は、割り当てられたリソースがソース基地局１０５−ａよりむしろターゲット基地局１０５に対してであることを指示するように含まれ得る。
【００４１】
[0054]  図２は、ＬＴＥ又はＵＬＬ  ＬＴＥネットワークアーキテクチャ内のアクセスネットワーク２００の例を例示する図である。この例において、アクセスネットワーク２００が、いくつかのセルラ領域（セル）２０２に分割される。１つ又は複数のより低い電力クラスのｅＮＢ２０８は、セル２０２のうちの１つ又は複数と重複するセルラ領域２１０を有し得る。より低い電力クラスのｅＮＢ２０８は、フェムトセル（例えば、ホームｅＮＢ（ＨｅＮＢ））、ピコセル、マイクロセル、又は遠隔無線ヘッド（ＲＲＨ）であり得る。マクロｅＮＢ２０４は各々、それぞれのセル２０２に割り当てられ、セル２０２内の全てのＵＥ２０６に対してアクセスポイントを提供するように構成される。一態様において、ｅＮＢ２０４は、ハンドオーバ管理のために構成されたハンドオーバマネージャ１１２を含み得る。アクセスネットワーク２００のこの例において中央制御装置は存在しないが、代替の構成では、中央制御装置が使用され得る。ｅＮＢ２０４は、無線ベアラ制御、アドミッション制御、モビリティ制御、スケジューリング、セキュリティ、及びサービングゲートウェイへの接続性を含む、全ての無線に関連する機能を担う。
【００４２】
[0055]  アクセスネットワーク２００によって用いられる変調及び多元接続スキームは、展開されている特定の電気通信規格に依存して変化し得る。ＬＴＥ又はＵＬＬ  ＬＴＥアプリケーションにおいて、周波数分割複信（ＦＤＤ）及び時分割複信（ＴＤＤ）の両方をサポートするために、ＯＦＤＭがＤＬ上で使用され得、ＳＣ−ＦＤＭＡがＵＬ上で使用され得る。当業者が以下の詳細な説明から容易に認識することになるように、本明細書に提示される様々な概念は、ＬＴＥアプリケーションによく適している。しかしながら、これらの概念は、他の変調及び多元接続技法を用いる他の電気通信規格に容易に拡張され得る。例として、これらの概念は、エボリューションデータオプティマイズド（Evolution-Data Optimized）（ＥＶ−ＤＯ）又はウルトラモバイルブロードバンド（ＵＭＢ）に拡張され得る。ＥＶ−ＤＯ及びＵＭＢは、ＣＤＭＡ２０００ファミリー規格の一部として、３世代パートナーシッププロジェクト２（３ＧＰＰ２）によって公表されたエアインタフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、及びＴＤ−ＳＣＤＭＡのようなＣＤＭＡの他の変形を用いるユニバーサル地上無線アクセス（ＵＴＲＡ）、ＴＤＭＡを用いるモバイル通信のためのグローバルシステム（ＧＳＭ（登録商標））、及びＯＦＤＭＡを用いるフラッシュＯＦＤＭ（登録商標）、ＩＥＥＥ８０２．２０、ＩＥＥＥ８０２．１６（ＷｉＭＡＸ（登録商標））、ＩＥＥＥ８０２．１１（Ｗｉ−Ｆｉ（登録商標））、及び発展型ＵＴＲＡ（Ｅ−ＵＴＲＡ）に拡張でき得る。ＵＴＲＡ、Ｅ−ＵＴＲＡ、ＵＭＴＳ、ＬＴＥ、及びＧＳＭは、３ＧＰＰの組織からの文書中で説明されている。ＣＤＭＡ２０００及びＵＭＢは、３ＧＰＰ２の組織からの文書中で説明されている。用いられる実際のワイヤレス通信規格及び多元接続技術は、特定のアプリケーション及びシステム上に課せられる全体的な設計制約に依存するであろう。
【００４３】
[0056]  ｅＮＢ２０４は、ＭＩＭＯ技術をサポートする複数のアンテナを有し得る。ＭＩＭＯ技術の使用は、ｅＮＢ204に、空間ドメインを利用して、空間多重化、ビームフォーミング、及び送信ダイバーシティをサポートすることを可能にさせる。空間多重化は、同じ周波数上で同時にデータの異なるストリームを送信するために使用され得る。データストリームは、データレートを増加させるために単一のＵＥ２０６に、又は、全体的なシステム容量を増加させるために複数のＵＥ２０６に、送信され得る。これは、各データストリームを空間的にプリコードし（すなわち、振幅及び位相のスケーリングを適用し）、その後、ＤＬ上で複数の送信アンテナを通じて各空間的にプリコードされたストリームを送信することによって達成される。空間的にプリコードされたデータストリームは、異なる空間シグネチャとともにＵＥ２０６（１つ又は複数）へと到達し、それは、ＵＥ２０６（１つ又は複数）の各々が、そのＵＥ２０６を宛先とする１つ又は複数のデータストリームを復元することを可能にする。ＵＬ上において、各ＵＥ２０６は、空間的にプリコードされたデータストリームを送信し、それはｅＮＢ２０４が各空間的にプリコードされたデータストリームのソースを識別することを可能にする。
【００４４】
[0057]  空間多重化は、概して、チャネル条件が良好なときに使用される。チャネル状態があまり良好でないとき、ビームフォーミングが、１つ又は複数の方向に送信エネルギーを集中させるために使用され得る。これは、複数のアンテナを通じた送信のためにデータを空間的にプリコードすることによって、達成され得る。セルの端で良好なカバレッジを達成するために、単一ストリームのビームフォーミング送信が、送信ダイバーシティと組み合わせて使用され得る。
【００４５】
[0058]  以下の詳細な説明において、アクセスネットワークの様々な態様が、ＤＬ上でＯＦＤＭをサポートするＭＩＭＯシステムを参照して説明される。ＯＦＤＭは、ＯＦＤＭシンボルの範囲内のいくつかのサブキャリア上のデータを変調する拡散スペクトル技法である。サブキャリアは、正確な周波数で間隔が空けられている。間隔を空けることは、受信器が、サブキャリアからのデータを復元することを可能にする「直交性」を提供する。時間領域において、ＯＦＤＭシンボル間干渉に対抗するために、各ＯＦＤＭシンボルにガードインターバル（例えば、巡回プリフィックス）が追加され得る。ＵＬは、高いピーク対平均電力比（ＰＡＰＲ）を補償するために、ＤＦＴ拡散されたＯＦＤＭ信号の形態でＳＣ−ＦＤＭＡを使用し得る。
【００４６】
[0059]  図３は、本明細書で説明されるハンドオーバプロシージャ管理と併せてＬＴＥにおけるＤＬフレーム構造の例を例示する図３００である。フレーム（１０ｍｓ）は、１０の等しいサイズのサブフレームに分割され得る。各サブフレームは、２つの連続的なタイムスロットを含み得る。リソースグリッドは、２つのタイムスロットを表すために使用され得、各タイムスロットは、リソースエレメントブロックを含む。リソースグリッドは、複数のリソースエレメントに分割される。ＬＴＥにおいて、リソースエレメントブロックは、周波数ドメイン内の１２の連続的なサブキャリアと、各ＯＦＤＭシンボル内の通常の巡回プリフィックスに関して、時間ドメイン内の７の連続するＯＦＤＭシンボル、すなわち、８４のリソースエレメントを包含し得る。拡張巡回プリフィックスに関して、リソースエレメントブロックは、時間ドメイン内の６の連続的なＯＦＤＭシンボルを包含し得、７２のリソースエレメントを有する。リソースエレメントのうちのいくつかは、Ｒ  ３０２、３０４として指し示されるような、ＤＬ基準信号（ＤＬ−ＲＳ）を含む。ＤＬ−ＲＳは、セル固有ＲＳ（ＣＲＳ）（共通ＲＳと呼ばれることもある）３０２及びＵＥ固有ＲＳ（ＵＥ−ＲＳ）３０４を含む。ＵＥ−ＲＳ３０４は、対応するＰＤＳＣＨがマッピングされるリソースエレメントブロック上でのみ送信される。各リソースエレメントによって搬送されるビット数は、変調スキームに依存する。このことから、ＵＥが受信するリソースエレメントブロックがより多いほど及び変調スキームがより高いほど、ＵＥのためのデータレートはより高くなる。
【００４７】
[0060]  図４は、ＬＴＥにおけるＵＬフレーム構造の例を例示する図４００であり、それは、いくつかの例において、本明細書で説明されるハンドオーバプロシージャ管理と併せて利用され得る。ＵＬのために利用可能なリソースエレメントブロックは、データセクションと制御セクションとに区分され得る。制御セクションは、システム帯域幅の２つの端で形成され得、構成可能なサイズを有し得る。制御セクション内のリソースエレメントブロックは、制御情報の送信のためにＵＥに割り当てられ得る。データセクションは、制御セクション内に含まれない全てのリソースエレメントブロックを含み得る。ＵＬフレーム構造は、連続するサブキャリアを含むデータセクションをもたらし、それは、単一のＵＥが、データセクション内の連続するサブキャリアの全てを割り当てられることを可能にし得る。
【００４８】
[0061]  ＵＥは、ｅＮＢに制御情報を送信するために制御セクション内のリソースエレメントブロック４１０ａ、４１０ｂを割り当てられ得る。ＵＥはまた、ｅＮＢにデータを送信するためにデータセクション内のリソースエレメントブロック４２０ａ、４２０ｂを割り当てられ得る。ＵＥは、制御セクション内の割り当てられたリソースエレメントブロック上の物理ＵＬ制御チャネル（ＰＵＣＣＨ）において制御情報を送信し得る。ＵＥは、データセクション内の割り当てられたリソースエレメントブロック上の物理ＵＬ共有チャネル（ＰＵＳＣＨ）内において、データのみ又はデータと制御情報との両方を送信し得る。ＵＬ送信は、サブフレームの両方のスロットにまたがり得、周波数にわたってホップし得る。
【００４９】
[0062]  リソースエレメントブロックのセットは、物理ランダムアクセスチャネル（ＰＲＡＣＨ）４３０内で、初期システムアクセスを遂行し、ＵＬ同期を達成するために使用され得る。ＰＲＡＣＨ４３０は、ランダムシーケンスを搬送し、いずれのＵＬデータ／シグナリングも搬送できない。各ランダムアクセスプリアンブルは、６つの連続的なリソースエレメントブロックに対応する帯域幅を占有する。開始周波数は、ネットワークによって指定される。すなわち、ランダムアクセスプリアンブルの送信は、ある特定の時間及び周波数リソースに制限される。ＰＲＡＣＨのための周波数ホッピングは存在しない。ＰＲＡＣＨ試行は、単一のサブフレーム（１ｍｓ）内又は少数の連続するサブフレームのシーケンス内で搬送され、ＵＥは、フレーム（１０ｍｓ）ごとに単一のＰＲＡＣＨ試行のみを行うことができる。
【００５０】
[0063]  図５は、ＬＴＥ及びＵＬＬ  ＬＴＥにおけるユーザプレーン及び制御プレーンのための無線プロトコルアーキテクチャの例を例示する図５００である。ＵＥ及びｅＮＢのための無線プロトコルアーキテクチャは、３つのレイヤ：レイヤ１、レイヤ２及びレイヤ３で示される。レイヤ１（Ｌ１レイヤ）は、最下位のレイヤであり、様々な物理レイヤ信号処理機能を実現する。Ｌ１レイヤは、本明細書では、物理レイヤ５０６と称されるであろう。レイヤ２（Ｌ２レイヤ）５０８は、物理レイヤ５０６より上位にあり、物理レイヤ５０６上でＵＥとｅＮＢとの間のリンクを担う。
【００５１】
[0064]  ユーザプレーンにおいて、Ｌ２レイヤ５０８は、メディアアクセス制御（ＭＡＣ）サブレイヤ５１０、無線リンク制御（ＲＬＣ）サブレイヤ５１２、及びパケットデータコンバージェンスプロトコル（ＰＤＣＰ）５１４サブレイヤを含み、それらは、ネットワーク側のｅＮＢで終端される。図示されていないが、ＵＥは、ネットワーク側のＰＤＮゲートウェイで終端されるネットワークレイヤ（例えば、ＩＰレイヤ）及び接続の他端（例えば、遠端のＵＥ、サーバ、等）で終端されるアプリケーションレイヤを含むＬ２レイヤ５０８の上位に、いくつかの上位レイヤを有し得る。
【００５２】
[0065]  ＰＤＣＰサブレイヤ５１４は、異なる無線ベアラと論理チャネルとの間の多重化を提供する。ＰＤＣＰサブレイヤ５１４はまた、無線送信オーバヘッドを削減させるために上位レイヤデータパケットのためのヘッダ圧縮、データパケットを暗号化することによるセキュリティ、及びｅＮＢ間のＵＥのためのハンドオーバサポートを提供する。ＲＬＣサブレイヤ５１２は、上位レイヤデータパケットのセグメンテーション及びリアセンブリ、損失データパケットの再送、及びハイブリッド自動再送要求（ＨＡＲＱ）により順序が乱れた受信を補償するためのデータパケットの並べ替えを提供する。ＭＡＣサブレイヤ５１０は、論理チャネル及びトランスポートチャネル間の多重化を提供する。ＭＡＣサブレイヤ５１０はまた、ＵＥ間で１つのセル内の様々な無線リソース（例えば、リソースエレメントブロック）を割り振ることを担う。ＭＡＣサブレイヤ５１０はまた、ＨＡＲＱ動作を担う。
【００５３】
[0066]  制御プレーンにおいて、ＵＥ及びｅＮＢのための無線プロトコルアーキテクチャは、制御プレーンに対するヘッダ圧縮機能がないことを除き、物理レイヤ５０６及びＬ２レイヤ５０８と実質的に同じである。制御プレーンはまた、レイヤ３（Ｌ３レイヤ）内に無線リソース制御（ＲＲＣ）サブレイヤ５１６を含む。ＲＲＣサブレイヤ５１６は、無線リソース（すなわち、無線ベアラ）を取得すること、及び、ｅＮＢ及びＵＥ間のＲＲＣシグナリングを使用して下位レイヤを構成すること、を担う。
【００５４】
[0067]  図６は、アクセスネットワークにおけるＵＥ６５０と通信状態であるｅＮＢ６１０のブロック図である。ｅＮＢ６１０は、図１に示されるように、ソース基地局１０５−ａ又はハンドオーバマネージャ１１２を有するターゲット基地局１０５であり得、ＵＥ６５０は、ＵＥ１１５であり得る。ＤＬにおいて、コアネットワークからの上位レイヤパケットが、コントローラ／プロセッサ６７５に提供される。コントローラ／プロセッサ６７５は、Ｌ２レイヤの機能性を実現する。ＤＬにおいて、コントローラ／プロセッサ６７５は、様々な優先度メトリックに基づいてＵＥ６５０への無線リソース割り振り、論理チャネル及びトランスポートチャネル間での多重化、パケットセグメンテーション及び並び替え、暗号化、ヘッダ圧縮を提供する。コントローラ／プロセッサ６７５はまた、ＵＥ６５０へのシグナリング、損失パケットの再送、及び、ＨＡＲＱ動作を担う。
【００５５】
[0068]  送信（ＴＸ）プロセッサ６１６は、Ｌ１レイヤ（すなわち、物理レイヤ）のための様々な信号処理機能を実現する。信号処理機能は、ＵＥ６５０での前方誤り訂正（ＦＥＣ）を容易にするために符号化すること及びインターリーブすることと、様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることとを含む。符号化された及び変調されたシンボルはその後、並行なストリームに分けられる。各ストリームはその後、時間ドメインＯＦＤＭシンボルストリームを搬送する物理チャネルを生成するために、ＯＦＤＭサブキャリアにマッピングされ、時間及び／又は周波数ドメイン内で基準信号（例えば、パイロット）と多重化され、その後、逆高速フーリエ変換（ＩＦＦＴ）を使用してともに組み合わされる。ＯＦＤＭストリームは、複数の空間ストリームを生成するために空間的にプリコードされる。チャネル推定器６７４からのチャネル推定値は、符号化及び変調スキームを決定するために、ならびに空間処理のためにも使用され得る。チャネル推定値は、ＵＥ６５０によって送信された基準信号及び／又はチャネル状態フィードバックから導出され得る。各空間ストリームはその後、別個の送信器６１８ＴＸを介して異なるアンテナ６２０に提供される。各送信器６１８ＴＸは、送信のためにそれぞれの空間ストリームでＲＦキャリアを変調する。加えて、ｅＮＢ６１０は、ハンドオーバプロシージャ管理のためのハンドオーバマネージャ１１２を含み得る。
【００５６】
[0069]  ＵＥ６５０では、各受信器６５４ＲＸは、そのそれぞれのアンテナ６５２を通じて信号を受信する。各受信器６５４ＲＸは、ＲＦキャリア上において変調された情報を復元し、受信（ＲＸ）プロセッサ６５６にその情報を提供する。ＲＸプロセッサ６５６は、Ｌ１レイヤの様々な信号処理機能を実現する。ＲＸプロセッサ６５６は、ＵＥ６５０を宛先とする任意の空間ストリームを復元するために、情報に対して空間処理を遂行する。複数の空間ストリームがＵＥ６５０を宛先とする場合、それらは、ＲＸプロセッサ６５６によって単一のＯＦＤＭシンボルストリームに組み合わされ得る。ＲＸプロセッサ６５６はその後、高速フーリエ変換（ＦＦＴ）を使用して、ＯＦＤＭシンボルストリームを時間ドメインから周波数ドメインに変換する。周波数ドメイン信号は、ＯＦＤＭ信号の各サブキャリアについて別個のＯＦＤＭシンボルストリームを備える。各サブキャリア上のシンボル、及び基準信号は、ｅＮＢ６１０によって送信された最も可能性の高い信号コンステレーションポイントを決定することによって復元及び復調される。これらの軟判定は、チャネル推定器６５８によって計算されるチャネル推定値に基づき得る。軟判定はその後、物理チャネル上でｅＮＢ６１０によって当初送信されたデータ及び制御信号を復元するために、デコード及びデインターリーブされる。データ及び制御信号はその後、コントローラ／プロセッサ６５９に提供される。
【００５７】
[0070]  コントローラ／プロセッサ６５９は、Ｌ２レイヤを実現する。コントローラ／プロセッサは、プログラムコード及びデータを記憶するメモリ６６０に関連付けられることができる。メモリ６６０は、コンピュータ可読媒体と称され得る。ＵＬにおいて、コントローラ／プロセッサ６５９は、コアネットワークからの上位レイヤパケットを復元するために、制御信号処理、ヘッダの解凍、暗号解読、パケットのリアセンブリ、トランスポートチャネル及び論理チャネル間の逆多重化を、提供する。上位レイヤパケットはその後、データシンク６６２に提供され、それは、Ｌ２レイヤより上位のすべてのプロトコルレイヤを表す。様々な制御信号もまた、Ｌ３処理のためにデータシンク６６２に提供され得る。コントローラ／プロセッサ６５９はまた、ＨＡＲＱ動作をサポートするために、肯定応答（ＡＣＫ）及び／又は否定応答（ＮＡＣＫ）プロトコルを使用する誤り検出を担う。
【００５８】
[0071]  ＵＬにおいて、データソース６６７が、コントローラ／プロセッサ６５９に上位レイヤパケットを提供するために、使用される。データソース６６７は、Ｌ２レイヤより上位のすべてのプロトコルレイヤを表す。ｅＮＢ６１０によるＤＬ送信と関係して説明された機能性と同様に、コントローラ／プロセッサ６５９は、ｅＮＢ６１０による無線リソース割り振りに基づいて論理チャネル及びトランスポートチャネル間の多重化、パケットセグメンテーション及び並び替え、暗号化、及びヘッダ圧縮を提供することによって、ユーザプレーン及び制御プレーンのためのＬ２レイヤを実現する。コントローラ／プロセッサ６５９はまた、ｅＮＢ６１０へのシグナリング、損失パケットの再送、及び、ＨＡＲＱ動作を担う。
【００５９】
[0072]  ｅＮＢ６１０によって送信された基準信号又はフィードバックからチャネル推定器６５８によって導出されたチャネル推定値は、適切な符号化及び変調スキームを選択し、空間処理を容易にするために、ＴＸプロセッサ６６８によって使用され得る。ＴＸプロセッサ６６８によって生成された空間ストリームは、別個の送信器６５４ＴＸを介して異なるアンテナ６５２に提供される。各送信器６５４ＴＸは、送信のためにそれぞれの空間ストリームを用いてＲＦキャリアを変調する。
【００６０】
[0073]  ＵＬ送信は、ＵＥ６５０での受信器機能に関係して説明されたことと同様の手法で、ｅＮＢ６１０で処理される。各受信器６１８ＲＸは、そのそれぞれのアンテナ６２０を通じて信号を受信する。各受信器６１８ＲＸは、ＲＦキャリア上に変調された情報を復元し、ＲＸプロセッサ６７０にその情報を提供する。ＲＸプロセッサ６７０は、Ｌ１レイヤを実現し得る。
【００６１】
[0074]  コントローラ／プロセッサ６７５は、Ｌ２レイヤを実現する。コントローラ／プロセッサ６７５は、プログラムコード及びデータを記憶するメモリ６７６に関連付けられることができる。メモリ６７６は、コンピュータ可読媒体と称され得る。ＵＬにおいて、コントローラ／プロセッサ６７５は、ＵＥ６５０からの上位レイヤパケットを復元するために、制御信号処理、ヘッダの解凍、暗号解読、パケットのリアセンブリ、トランスポートチャネル及び論理チャネルの間の逆多重化を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫ及び／又はＮＡＣＫプロトコルを使用する誤り検出を担う。
【００６２】
[0075]  図７Ａを参照すると、ハンドオーバプロシージャ管理が遂行され得る、ターゲット基地局１０５の１つ又は複数のコンポーネントが、図１に加えて図７００Ａに例示される。本明細書で使用される用語「コンポーネント」又は「モジュール」は、システムを構成するパーツのうちの１つであり得、ハードウェア又はソフトウェアであり得、及び、他のコンポーネント又はモジュールに分割され得る。描画されるように、上述のようなターゲット基地局１０５及び他の類似のデバイス、エンティティ又は装置のハンドオーバマネージャ１１２は、基準信号モニタ７０２及びタイミング推定器７０４を含み得、それらの各々は、ソフトウェア、ハードウェア、ファームウェア又はそれらの任意の組合せとして実現され得る。ハンドオーバマネージャ１１２は、ターゲット基地局１０５のトランシーバ７０６に関連付けられ得る。いくつかの態様において、トランシーバ７０６は、図１１に示される受信器１１０４及び送信器１１１６を含み得る。
【００６３】
[0076]  本態様によれば、ターゲット基地局１０５は、メモリ７４４及びトランシーバ７０６に結合された１つ又は複数のプロセッサ７２０を含み得る。１つ又は複数のプロセッサ７２０は、本明細書で説明されるようなハンドオーバプロシージャを管理するための様々なコンポーネントを実行し得る。例えば、いくつかの態様において、ハンドオーバ管理に関する様々なコンポーネントは、単一のプロセッサによって実行され得、その一方で他の態様において複数のコンポーネントのうちの異なるものは、２つ以上の異なるプロセッサの組み合せによって実行され得る。例えば、一態様において、１つ又は複数のプロセッサ７２０は、モデムベースバンドプロセッサ、又はデジタルシグナルプロセッサ、又は送信プロセッサ、又はトランシーバプロセッサのうち任意の１つ又は任意の組み合せを含み得る。特に、モデムベースバンドプロセッサのような、１つ又は複数のプロセッサ７２０は、ハンドオーバプロシージャを管理するように構成されたハンドオーバマネージャ１１２を実行し得る。
【００６４】
[0077]  本態様において、ハンドオーバマネージャ１１２又はトランシーバ７０６は、ソース基地局１０５−ａからの基準信号構成を受信し得、基準信号構成は、どのようにＵＥ１１５が基準信号情報を送信し得るかを指し示す情報を含む。基準信号は、アップリンク上のサウンディング基準信号（ＳＲＳ）を示し得るので、基準信号構成は、基準信号を送信するために使用されるシグネチャシーケンス及びサブフレームの構成を示し得る。基準信号構成に基づいて、基準信号モニタ７０２は、ＵＥ１１５からの及び同様に他のＵＥからの基準信号情報をトラック又はモニタするように構成され得る。
【００６５】
[0078]  基準信号情報を用いて、タイミング推定器７０４は、ＵＥ１１５のために、タイミング情報、例えば、タイミングアドバンス（ＴＡ）を推定するように構成され得る。例えば、タイミング推定器７０４は、受信されたＳＲＳのタイミング情報及びターゲット基地局１０５と関連付けられているセルのタイミング情報における違いに基づいてＴＡを推定するように構成され得る。一態様において、タイミング情報は、ＵＥ１１５とターゲット基地局１０５との間の距離によって影響される伝搬遅延を補償するためにタイミングオフセットを示し得る。
【００６６】
[0079]  推定されたタイミング情報はその後、ハンドオーバ準備プロシージャ中において、ターゲット基地局１０５からソース基地局１０５−ａにトランシーバ７０６によって送信され得る。タイミング情報はさらに、ソース基地局１０５−ａからＵＥ１１５にＲＲＣ再構成メッセージにおいて送信され得る。いくつかの追加の例において、トランシーバ７０６は、ハンドオーバ準備プロシージャ中においてソース基地局１０５−ａとＰＵＳＣＨリソースをネゴシエートするように構成され得る。すなわち、トランシーバ７０６は、どのＰＵＳＣＨリソースがターゲット基地局１０５に接続するためにＵＥ１１５によって使用されることができるかを決定するように構成され得る。ＲＲＣ再構成メッセージはまた、ＵＥ１１５に割り当てられたネゴシエートされたＰＵＳＣＨリソースを含み得る。
【００６７】
[0080]  いくつかの態様において、ＲＲＣ再構成メッセージを受信すると、ＵＥ１１５はまず、タイミング情報を取得するためにＲＲＣ再構成メッセージを解釈し得、その後ターゲット基地局に同調し得、半永続的な手法、例えば、半永続的スケジューリング（ＳＰＳ）において割り当てられたＰＵＳＣＨリソースを利用してターゲット基地局１０５に送信を開始し得る。送信は、ＲＲＣ再構成メッセージ内に含まれるタイミング情報に基づいて調整され得る。かくして、ＵＥ１１５からターゲット基地局１０５へのＰＲＡＣＨ送信は不要であり得、全体的なハンドオーバプロシージャは、迅速化され得る。
【００６８】
[0081]  その上で、ターゲット基地局１０５は、無線送信を受信する及び送信するための１つ又は複数のトランシーバ７０６を含み得る。例えば、トランシーバ７０６は、異なる種類の無線信号、例えば、セルラ、ＷｉＦｉ、ブルートゥース（登録商標）、ＧＰＳ等を受信するように構成され得る。例えば、一態様において、１つ又は複数のトランシーバ７０６は、例えば１つ又は複数の電力増幅器７６３、１つ又は複数のバンド特定フィルタ７６７、及び１つ又は複数のアンテナ７７２によって定義される無線周波数（ＲＦ）フロントエンド７６１と通信状態であり得る又はＲＦフロントエンド７６１に接続され得る。例えば、１つ又は複数のトランシーバ７０６は、受信器１１０４を含み得、及び、ハンドオーバプロシージャを管理することに使用する１つ又は複数の周波数帯域の範囲内の信号、例えば、ソース基地局１０５−ａからのＵＥ  ＳＲＳ構成８０４（図８）を受信するためのハードウェア及び／又は１つ又は複数のプロセッサ２７０によって実行可能なソフトウェアコードを、含み得る。加えて、例えば、トランシーバ７０６はまた、ＵＬグラント８１４のような、ソース基地局１０５−ａ及び／又はＵＥ１１５に対する信号を送信するための送信器１１１６を含み得る。
【００６９】
[0082]  図７Ｂを参照すると、ハンドオーバプロシージャ管理が遂行され得る、ソース基地局１０５−ａの１つ又は複数のコンポーネントは、図１に加えて図７００Ｂに例示される。描画されるように、上述のようなソース基地局１０５−ａ及び他の類似のデバイス、エンティティ又は装置のハンドオーバマネージャ１１１は、基準信号構成コンポーネント７５０を含み得、それのは、ソフトウェア、ハードウェア、ファームウェア又はそれらのいずれかの組合せとして実現され得る。ハンドオーバマネージャ１１１は、ソース基地局１０５−ａの１つ又は複数のトランシーバ７５６と関連付けされ得る。いくつかの態様において、トランシーバ７５６は、受信器７５８及び送信器７６０を含み得る。
【００７０】
[0083]  本態様によれば、ソース基地局１０５−ａは、メモリ７４５及びトランシーバ７５６に結合された１つ又は複数のプロセッサ７２１を含み得る。１つ又は複数のプロセッサ７２１は、本明細書で説明されるような、ハンドオーバプロシージャを管理するための様々なコンポーネントを実行し得る。例えば、いくつかの態様において、ハンドオーバ管理に関する様々なコンポーネントは、単一のプロセッサによって実行され得、その一方で、他の態様において複数のコンポーネントのうち異なるものが、２以上の異なるプロセッサの組み合せによって実行され得る。例えば、一態様において、１つ又は複数のプロセッサ７２１は、モデムベースバンドプロセッサ、又はデジタルシグナルプロセッサ、又は送信プロセッサ、又はトランシーバプロセッサの任意の１つ又は任意の組み合せを含み得る。特に、モデムベースバンドプロセッサのような、１つ又は複数のプロセッサ７２１は、ハンドオーバプロシージャを管理するように構成されたハンドオーバマネージャ１１１を実行し得る。
【００７１】
[0084]  一態様において、ハンドオーバマネージャ１１１、又はトランシーバ７５６は、ＵＥ１１５の基準信号構成を送信し得る。上述のように、基準信号構成は、ターゲット基地局１０５及び／又はそれらのコンポーネントがＵＥ１１５からの及び同様に他のＵＥからの基準信号情報をトラック又はモニタし得るようにＵＥ１１５がどのように基準信号情報を送信し得るかを指し示す情報を含み得る。
【００７２】
[0085]  基準信号情報を用いて、ターゲット基地局１０５（図７Ａ）のタイミング推定器７０４は、ＵＥ１１５についてのタイミング情報、例えば、タイミングアドバンス（ＴＡ）を推定するように構成され得る。一態様において、タイミング情報は、ＵＥ１１５とターゲット基地局１０５との間の距離によって影響される伝搬遅延を補償するためにタイミングオフセットを示し得る。推定されたタイミング情報はその後、ハンドオーバ準備プロシージャ中において、ターゲット基地局１０５からソース基地局１０５−ａにトランシーバ７０６によって送信され得る。ハンドオーバマネージャ１１１又はトランシーバ７５６は、ターゲット基地局１０５からの推定されたタイミング情報を受信し得る。ハンドオーバマネージャ１１１又はトランシーバ７５６はさらに、ソース基地局１０５−ａからＵＥ１１５に、ＲＲＣ再構成メッセージにおいてタイミング情報を送信し得る。いくつかの追加の例において、トランシーバ７５６は、ハンドオーバ準備プロシージャ中において、ターゲット基地局１０５とＰＵＳＣＨリソースをネゴシエートするように構成され得る。ＲＲＣ再構成メッセージはまた、ＵＥ１１５に対して割り当てられたネゴシエートされたＰＵＳＣＨリソースを含み得る。
【００７３】
[0086]  その上、ソース基地局１０５−ａは、無線送信を受信する及び送信するための１つ又は複数のトランシーバ７５６を含み得る。例えば、トランシーバ７５６は、異なる種類の無線信号、例えば、セルラ、ＷｉＦｉ、ブルートゥース、ＧＰＳ等を、受信するように構成され得る。例えば、一態様において、１つ又は複数のトランシーバ７５６は、例えば１つ又は複数の電力増幅器７６４、１つ又は複数のバンド特定フィルタ７６８、及び１つ又は複数のアンテナ７６５によって定義される無線周波数（ＲＦ）フロントエンド７６２と通信状態であり得る又はＲＦフロントエンド７６２に接続され得る。例えば、１つ又は複数のトランシーバ７５６は、受信器７５８を含み得、及び、ハンドオーバプロシージャを管理することに使用する１つ又は複数の周波数帯の範囲内の信号、例えば、ターゲット基地局１０５からのハンドオーバ準備プロシージャ８０８（図８）内のメッセージを受信するためのハードウェア及び／又は１つ又は複数のプロセッサ７２１によって実行可能なソフトウェアコードを、含み得る。加えて、例えば、トランシーバ７５６はまた、ＵＥ  ＳＲＳ構成８０４のような、ターゲット基地局１０５及び／又はＵＥ１１５に信号を送信するための送信器７６０を含み得る。
【００７４】
[0087]  図８を参照すると、ハンドオーバ管理が実現され得る、一例のコールフロー８００が、本明細書で例示される。描画されるように、コールフロー８００は、ＵＥ１１５、ソース基地局１０５−ａ、及びターゲット基地局１０５間の複数の双方向の動作を含み得る。
【００７５】
[0088]  一態様において、ＵＥ１１５は、ソース基地局１０５−ａに対する第１閾値及び第２閾値をそれぞれ含む測定レポート８０２及び８０６（例えば、基準信号受信電力（ＲＳＲＰ）、基準信号受信品質（ＲＳＲＱ）等）を送信するように構成され得る。ソース基地局１０５−ａは、ターゲット基地局１０５に、ＵＥ  ＳＲＳ構成８０４を送信し得る。ＵＥ  ＳＲＳ構成８０４に含まれる情報（例えば、サブフレーム配置情報、無線ベアラ配置情報、使用されたシグネチャシーケンス）を用いて、基準信号モニタ７０２（図７Ａ）は、ＵＥ１１５からの基準信号情報をトラック又はモニタし得る。ＵＥ１１５に関連付けられた基準信号情報に基づいて、ターゲット基地局１０５のタイミング推定器７０４（図７Ａ）は、例えば、ＳＲＳが受信された時とＳＲＳが受信されると予期される時との時間差に基づいて、ＵＥ１１５についてのタイミング情報を推定し得る。ＵＥ１１５についてのタイミング情報は、ハンドオーバ準備プロシージャ８０８中において、ＵＥ１１５のトランシーバ７０６（図７Ａ）によって、ソース基地局１０５−ａに送信され得、及び、ＲＲＣ再構成メッセージ８１０において、ソース基地局１０５−ａからＵＥ１１５へさらに送信され得る。
【００７６】
[0089]  ＲＲＣ再構成メッセージ８１０を受信すると、ＵＥ１１５はまず、タイミング情報を取得するためにＲＲＣ再構成メッセージ８１０を解釈し得、その後、ターゲット基地局に同調し得、ＳＰＳに従ったＰＵＳＣＨ、例えば、（ＳＰＳ）−ＰＵＳＣＨ８１２上で、送信を開始し得る。トランシーバ７０６は、アップリンク送信のためのグラント、例えば、ＵＬグラント８１４を、ＵＥ１１５に送信し得る。ＵＥ１１５はその後、ターゲット基地局１０５に、データ送信、例えばＵＬデータ８１６、を開始し得る。
【００７７】
[0090]  いくつかの態様において、ＲＲＣ再構成メッセージ８１０を解釈又は復号化するための時間は、要求を緊密にすることによって短縮され得る。さらに、ＵＥ１１５が最初の利用可能なＰＵＳＣＨリソースのために待機することによって引き起こされる遅延は、ＰＵＳＣＨ割り当て又は頻繁なＳＰＳ割り当てのための緊密な行動時間を用いて短縮され得る。例えば、ハンドオーバプロシージャの合計の遅延は、最大３０ミリ秒であり得る。ＰＲＡＣＨ送信がもはや必要でない時、ハンドオーバプロシージャの合計の遅延は、５から１０ミリ秒に削減され得る。
【００７８】
[0091]  図９を参照すると、ハンドオーバ管理が実現され得る、別の例のコールフロー９００が、本明細書で例示される。描画されるように、コールフロー９００は、ＵＥ１１５、ソース基地局１０５−ａ、及びターゲット基地局１０５間における複数の双方向の動作を含み得る。
【００７９】
[0092]  コールフロー８００に類似して、ＵＥ１１５は、ソース基地局１０５−ａに対する第１閾値及び第２閾値をそれぞれ含む測定レポート９０２及び９０６を送信するように、構成され得る。ソース基地局１０５−ａは、ターゲット基地局１０５にＵＥ  ＳＲＳ構成９０４を送信し得る。ＵＥ  ＳＲＳ構成９０４内に含まれる情報を用いて、基準信号モニタ７０２（図７Ａ）は、ＵＥ１１５からの基準信号情報をトラックし得る。ＵＥ１１５に関連付けられた基準信号情報に基づいて、ターゲット基地局１０５のタイミング推定器７０４（図７Ａ）は、ＵＥ１１５についてのタイミング情報を推定するように構成され得る。ＵＥ１１５についてのタイミング情報は、ハンドオーバ準備プロシージャ９０８中において、ハンドオーバマネージャ１１２に関連付けられたトランシーバ７０６（図７Ａ）によって、ソース基地局１０５−ａに送信され得、及び、ＲＲＣ再構成メッセージ９１０において、ソース基地局１０５−ａからＵＥ１１５にさらに送信され得る。
【００８０】
[0093]  コールフロー８００に代わって、ソース基地局１０５−ａは、物理ダウンリンク制御チャネル（ＰＤＣＣＨ）上において、ＵＥ１１５に、ターゲット基地局に対するアップリンクグラント９１２を送信し得る。ＵＥ１１５は、ターゲット基地局に同調し得、及び、ＳＰＳに従ってＰＵＳＣＨ、例えば、（ＳＰＳ）−ＰＵＳＣＨ９１４上において、送信を開始し得る。トランシーバ７０６はその後、アップリンク送信のためのグラント、例えば、ＵＬグラント９１６を、ＵＥ１１５に送信し得る。アップリンク送信のためのグラントに応答して、ＵＥ１１５はその後、 ターゲット基地局１０５に、データ送信、例えば、ＵＬデータ９１８、を開始し得る。
【００８１】
[0094]  図１０Ａを参照すると、ハンドオーバプロシージャ管理のための方法１０００Ａの態様は、図１のターゲット基地局１０５及びそのコンポーネントによって遂行され得る。より具体的には、方法１０００Ａの態様は、図７Ａに示されるような基準信号モニタ７０２、タイミング推定器７０４、及びトランシーバ７０６によって遂行され得る。図１０Ａに例示されるように、破線のブロックは、方法１０００の随意的な動作を指し示し得る。
【００８２】
[0095]  １００２において、方法１０００Ａは、ソース基地局から受信されるＵＥの基準信号構成に少なくとも部分的に基づいて、ＵＥに関連付けられた基準信号情報をモニタすることを含む。例えば、それのハンドオーバマネージャ１１２又はトランシーバ７０６が、ソース基地局１０５−ａからの基準信号構成を受信し得る時、基準信号モニタ７０２は、基準信号構成に基づいて、基準信号情報をトラック又はモニタするように構成され得る。
【００８３】
[0096]  １００４において、方法１０００Ａは、基準信号情報に少なくとも部分的に基づいて、ＵＥについてのタイミング情報を推定することを含む。例えば、基準信号情報を用いて、タイミング推定器７０４は、ＵＥ１１５についてのタイミング情報、例えば、タイミングアドバンス（ＴＡ）を推定するように構成され得る。一態様において、タイミング情報は、ＵＥ１１５とターゲット基地局１０５との間の距離によって影響される伝搬遅延を補償するためにタイミングオフセットを示し得る。
【００８４】
[0097]  １００６において、方法１０００Ａは、タイミング情報をソース基地局に送信することを含み、ここにおいて、ソース基地局は、ターゲット基地局へのＵＥのハンドオーバのために、ＵＥにタイミング情報を提供する。例えば、推定されたタイミング情報はその後、ハンドオーバ準備プロシージャ中において、ターゲット基地局１０５からソース基地局１０５−ａにトランシーバ７０６によって送信され得る。
【００８５】
[0098]  １００８において、方法１０００Ａは、アップリンクリソース（例えば、ＰＵＳＣＨリソース）が、ターゲット基地局に対してソース基地局によって割り当てられた時、ＵＥからのアップリンク送信を受信することを含む。例えば、トランシーバ７０６は、ターゲット基地局のためのＵＬグラント９１２において、ターゲット基地局１０５に対してソース基地局１０５−ａによって割り当てられたアップリンクリソースを利用するＵＥ１１５からの送信を受信し得る。少なくともいくつかの例において、ソース基地局１０５−ａは、ＵＥ１１５がターゲット基地局１０５に対してＰＵＳＣＨリソース上で送信する行動時間が特定される不定期の非永続的な手法において又は半永続的な手法の形態において、ＵＥに対して割り当てられたＰＵＳＣＨリソースを指し示すリソース割り当てメッセージを送信し得る。リソース割り当てメッセージは、ＭＡＣシグナリングを用いて送信され得る。
【００８６】
[0099]  図１０Ｂを参照すると、ハンドオーバプロシージャ管理のための方法１０００Ｂの態様は、図１のソース基地局１０５−ａ及びそのコンポーネントによって遂行され得る。より具体的には、方法１０００Ｂの態様は、図７Ｂに示されるような基準信号構成コンポーネント７５０を含むハンドオーバマネージャ１１１及びトランシーバ７５６によって、遂行され得る。
【００８７】
[00100]  １０５２において、方法１０００Ｂは、ターゲット基地局にＵＥの基準信号構成を送信することを、含む。例えば、基準信号構成コンポーネント７５０は、基地局インプリメンテーションに基づいて、ＵＥ１１５の基準信号構成を生成又は決定するように構成され得る。トランシーバ７５６の送信器７６０は、ターゲット基地局１０５に基準信号構成を送信するように構成され得る。基準信号構成に基づいて、ターゲット基地局１０５、又はそのコンポーネント（例えば、図７Ａ内の基準信号モニタ７０２）は、基準信号情報をモニタするように構成され得る。さらに、ターゲット基地局１０５のタイミング推定器７０４（図７Ａ）は、ＵＥ１１５についてのタイミング情報を推定するように構成され得る。推定されたタイミング情報はその後、ハンドオーバ準備プロシージャ中において、ターゲット基地局１０５からソース基地局１０５−ａに、トランシーバ７０６によって送信され得る。
【００８８】
[00101]  １０５４において、方法１０００Ｂは、ターゲット基地局からタイミング情報を受信することを含み、ここにおいて、タイミング情報は、基準信号構成を使用してターゲット基地局によってモニタされるＵＥの基準信号情報に少なくとも部分的に基づいて、ターゲット基地局によって推定される。例えば、推定されたタイミング情報は、ハンドオーバ準備プロシージャ中において、ターゲット基地局１０５からソース基地局１０５−ａに、トランシーバ７５６によって受信され得る。
【００８９】
[00102]  １０５６において、方法１０００Ｂは、ＵＥにタイミング情報を送信することを含み得る。例えば、ソース基地局１０５−ａの送信器７６０は、ＵＥ１１５にタイミング情報を送信するように構成され得る。
【００９０】
[00103]  図１１は、例となる装置１１０２における異なるモジュール／手段／コンポーネント間のデータフローを例示する概念的データフロー図１１００である。装置は、ターゲット基地局１０５のようなｅＮＢであり得る。装置は、ＵＥ  ＳＲＳ構成情報を受信する受信器１１０４、ソース基地局から受信されるＵＥの基準信号構成に少なくとも部分的に基づいてＵＥ（例えば、ＵＥ１１５）に関連付けられた基準信号情報をモニタする基準信号モニタモジュール１１０６、及び、基準信号情報に少なくとも部分的に基づいてＵＥについてのタイミング情報を推定するタイミング推定器モジュール１１０８を含む。いくつかの態様において、受信器１１０４及び送信器１１１６は、トランシーバ７０６（図７Ａ）内に含まれ得る。同様に、基準信号モニタモジュール１１０６及びタイミング推定器モジュール１１０８は、図７Ａのハンドオーバマネージャ１１２内に含まれ得る。
【００９１】
[00104]  一態様において、受信器１１０４は、ソース基地局１０５−ａからのＳＲＳ構成を受信し、及び、どのようにＵＥ１１５がＳＲＳを送信するかを決定するように構成され得る。ＳＲＳ構成に基づいて、基準信号モニタモジュール１１０６は、ＵＥ１１５からのＳＲＳをトラック又はモニタし得、及び、ＳＲＳ内に含まれる関連情報を、タイミング推定器モジュール１１０８に送信し得る。タイミング推定器モジュール１１０８は、タイミング情報を推定し得、及び、タイミング情報を送信器１１１６に送信し得る。タイミング情報はその後、送信器１１１６からソース基地局１０５−ａに送信され得る。
【００９２】
[00105]  装置は、前述された図１０のフローチャート内のアルゴリズムのステップの各々を遂行する追加のモジュールを含み得る。そのようなものとして、前述された図１０のフローチャート内の各ステップは、モジュールによって遂行され得、装置は、それらのモジュールのうちの１つ又は複数を含み得る。モジュールは、記載されたプロセス／アルゴリズムを行うように特に構成された１つ又複数のハードウェアコンポーネントであり得るか、記載されたプロセス／アルゴリズムを遂行するように構成されたプロセッサによって実現され得るか、プロセッサによる実現のためのコンピュータ可読媒体内に記憶され得るか、又はそれらの任意の組み合わせであり得る。
【００９３】
[00106]  開示されたプロセスにおけるステップの特定の順序又は階層は、例示的なアプローチの一例であるということが理解される。設計の好みに基づいて、プロセスにおけるステップの特定の順序又は階層は再配置され得ることが理解される。さらに、いくつかのステップは組み合わされ得るか、又は省略され得る。添付の方法の請求項は、サンプルの順序で様々なステップの要素を提示しており、提示された特定の順序又は階層に限定されるように意図されない。
【００９４】
[00107]  前述の説明は、当技術分野の当業者に、本明細書で説明された様々な態様を実施するのを可能にするために提供される。これらの態様への様々な修正は、当業者に容易に明らかとなり、本明細書に定義された一般的な原理は、他の態様に適用され得る。したがって、特許請求の範囲は、本明細書に示される態様に限定されるように意図されたものではなく、特許請求の範囲の文言と矛盾しない最大範囲であると認められるべきであり、ここにおいて、単数の要素への参照は、そのように明確に記載されていない限り、「１つ及び１つのみ」を意味するのを意図せずに、むしろ「１つ又は複数」を意味するように意図されている。特に記載が無い限り、「いくつか」という用語は１つ又は複数を指す。当業者に知られているか、又は後に知られることとなる、本明細書を通じて説明された様々な態様の要素と構造的及び機能的に同等な物は全て、参照によって本明細書に明確に組み込まれ、特許請求の範囲によって包含されるように意図される。その上、本明細書のどの開示も、そのような開示が特許請求の範囲中に明示的に記載されているかどうかにかかわらず、公に献呈されるようには意図されていない。要素が「〜のための手段」というフレーズを使用して明確に記載されていない限り、どの請求項の要素もミーンズプラスファンクションとして解釈されるべきではない。
【００９５】
[00108]  その上、「又は／あるいは／もしくは（or）」という用語は、排他的な「又は／あるいは／もしくは」というよりはむしろ包括的な「又は／あるいは／もしくは」を意味するように意図される。すなわち、別段の規定がない限り、又は文脈から明白でない限り、「ＸはＡ又はＢを使用する」という句は、自然な包括的置換のいずれかを意味するものとする。つまり、「ＸはＡ又はＢを使用する」というフレーズは、ＸがＡを使用する場合、ＸがＢを使用する場合、又はＸがＡとＢの両方を使用する場合のいずれによっても満たされる。加えて、本願及び添付の特許請求の範囲で使用される冠詞「ａ」及び「ａｎ」は、別段の規定がない限り、又は単数形を示すことが文脈から明白でない限り、概して「１つ又は複数」を意味するものと解釈されるべきである。
以下に本願発明の当初の特許請求の範囲に記載された発明を付記する。
［Ｃ１］  ターゲット基地局によるハンドオーバ動作管理のための方法であって、
ソース基地局から受信されたユーザ機器（ＵＥ）の基準信号構成に少なくとも部分的に基づいて、前記ＵＥに関連付けられた基準信号情報をモニタすることと、
前記基準信号情報に少なくとも部分的に基づいて、前記ＵＥについてのタイミング情報を推定することと、
前記ソース基地局に前記タイミング情報を送信することと、ここにおいて、前記ソース基地局は、前記ターゲット基地局へのハンドオーバのために、前記ＵＥに前記タイミング情報を提供する、
を備える、方法。
［Ｃ２］  アップリンクリソースが前記ターゲット基地局に対して前記ソース基地局によって割り当てられた後に、前記ＵＥからのアップリンクデータ送信を受信することをさらに備える、Ｃ１に記載の方法。
［Ｃ３］  前記タイミング情報は、前記ソース基地局と前記ターゲット基地局との間のハンドオーバ準備動作中に、前記ソース基地局に送信される、Ｃ１に記載の方法。
［Ｃ４］  前記ハンドオーバ準備動作中に、物理アップリンク共有チャネル（ＰＵＳＣＨ）リソースをネゴシエートすることをさらに備える、Ｃ３に記載の方法。
［Ｃ５］  前記タイミング情報が前記ＵＥによって受信された後に、半永続的な手法で、ＰＵＳＣＨを利用して、前記ＵＥからのメッセージを受信することをさらに備える、Ｃ１に記載の方法。
［Ｃ６］  前記タイミング情報は、無線リソース制御（ＲＲＣ）再構成メッセージにおいて前記ＵＥに送信される、Ｃ１に記載の方法。
［Ｃ７］  前記ＵＥは、前記ＲＲＣ再構成メッセージを解釈した後に、前記ターゲット基地局に同調する、Ｃ６に記載の方法。
［Ｃ８］  ソース基地局とターゲット基地局との間のハンドオーバ動作のための、コンピュータ実行可能なコードを記憶するコンピュータ可読媒体であって、
前記ソース基地局から受信されたユーザ機器（ＵＥ）の基準信号構成に少なくとも部分的に基づいて、前記ＵＥに関連付けられた基準信号情報をモニタするためのコードと、
前記基準信号情報に少なくとも部分的に基づいて、前記ＵＥについてのタイミング情報を推定するためのコードと、
前記ソース基地局に前記タイミング情報を送信するためのコードと、ここにおいて、前記ソース基地局は、前記ターゲット基地局へのハンドオーバのために、前記ＵＥに前記タイミング情報を提供する、
を備える、コンピュータ可読媒体。
［Ｃ９］  アップリンクリソースが前記ターゲット基地局に対して前記ソース基地局によって割り当てられた後に、前記ＵＥからのアップリンクデータ送信を受信するためのコードをさらに備える、Ｃ８に記載のコンピュータ可読媒体。
［Ｃ１０］  前記タイミング情報は、前記ソース基地局と前記ターゲット基地局との間のハンドオーバ準備動作中に、前記ソース基地局に送信される、Ｃ８に記載のコンピュータ可読媒体。
［Ｃ１１］  前記ハンドオーバ準備動作中に、物理アップリンク共有チャネル（ＰＵＳＣＨ）リソースをネゴシエートするためのコードをさらに備える、Ｃ１０に記載のコンピュータ可読媒体。
［Ｃ１２］  前記タイミング情報が前記ＵＥによって受信された後に、半永続的な手法で、ＰＵＳＣＨを利用して、前記ＵＥからのメッセージを受信するためのコードをさらに備える、Ｃ８に記載のコンピュータ可読媒体。
［Ｃ１３］  前記タイミング情報は、無線リソース制御（ＲＲＣ）再構成メッセージにおいて前記ＵＥに送信される、Ｃ８に記載のコンピュータ可読媒体。
［Ｃ１４］  前記ＵＥは、前記ＲＲＣ再構成メッセージを解釈した後に、前記ターゲット基地局に同調する、Ｃ１３に記載のコンピュータ可読媒体。
［Ｃ１５］  ソース基地局とターゲット基地局との間のハンドオーバ動作のための装置であって、
ユーザ機器（ＵＥ）に関連付けられた基準信号情報を受信するように構成されたトランシーバと、
情報を記憶するように構成されたメモリと、
前記メモリと通信状態にあるプロセッサと、
を備え、前記プロセッサ及び前記メモリは、
前記ソース基地局から受信された前記ＵＥの基準信号構成に少なくとも部分的に基づいて、前記ＵＥに関連付けられた前記基準信号情報をモニタすることと、
前記基準信号情報に少なくとも部分的に基づいて、前記ＵＥについてのタイミング情報を推定することと、及び、前記トランシーバを介して、前記ソース基地局に前記タイミング情報を送信することと、ここにおいて、前記ソース基地局は、前記ターゲット基地局への前記ＵＥのハンドオーバのために、前記ＵＥに前記タイミング情報を提供する、
を行うように構成される、装置。
［Ｃ１６］  前記トランシーバは、アップリンクリソースが前記ターゲット基地局に対して前記ソース基地局によって割り当てられた後に、前記ＵＥからのアップリンクデータ送信を受信するようにさらに構成される、Ｃ１５に記載の装置。
［Ｃ１７］  前記タイミング情報は、前記ソース基地局と前記ターゲット基地局との間のハンドオーバ準備動作中に、前記ソース基地局に送信される、Ｃ１５に記載の装置。
［Ｃ１８］  前記トランシーバは、前記ハンドオーバ準備動作中に、物理アップリンク共有チャネル（ＰＵＳＣＨ）リソースをネゴシエートするようにさらに構成される、Ｃ１７に記載の装置。
［Ｃ１９］  前記トランシーバは、前記タイミング情報が前記ＵＥによって受信された後に、半永続的な手法で、ＰＵＳＣＨを利用して、前記ＵＥからのメッセージを受信するようにさらに構成される、Ｃ１５に記載の装置。
［Ｃ２０］  前記タイミング情報は、無線リソース制御（ＲＲＣ）再構成メッセージにおいて前記ＵＥに送信される、Ｃ１５に記載の装置。
［Ｃ２１］  前記プロセッサ及び前記メモリは、前記ＲＲＣ再構成メッセージを解釈した後に、前記ターゲット基地局に前記ＵＥを同調するようにさらに構成される、Ｃ２０に記載の装置。
［Ｃ２２］  ソース基地局によるハンドオーバ動作管理のための方法であって、
ターゲット基地局にユーザ機器（ＵＥ）の基準信号構成を送信することと、
前記ターゲット基地局からタイミング情報を受信することと、ここにおいて、前記タイミング情報は、前記基準信号構成を使用して前記ターゲット基地局によってモニタされる、前記ＵＥの基準信号情報に少なくとも部分的に基づいて、前記ターゲット基地局によって推定される、
前記ＵＥに前記タイミング情報を送信することと
を備える、方法。
［Ｃ２３］  前記タイミング情報は、前記ソース基地局と前記ターゲット基地局との間のハンドオーバ準備動作中に、前記ソース基地局で受信される、Ｃ２２に記載の方法。
［Ｃ２４］  前記ハンドオーバ準備動作中に、物理アップリンク共有チャネル（ＰＵＳＣＨ）リソースを前記ターゲット基地局とネゴシエートすることをさらに備える、Ｃ２３に記載の方法。
［Ｃ２５］  前記ＵＥに前記タイミング情報を送信することは、無線リソース制御（ＲＲＣ）再構成メッセージにおいて前記タイミング情報を送信することを備える、Ｃ２２に記載の方法。
［Ｃ２６］  前記ターゲット基地局に対してＰＵＳＣＨリソースを割り当てることをさらに備える、Ｃ２２に記載の方法。
［Ｃ２７］  半永続的な手法の形式で、前記割り当てられたＰＵＳＣＨリソースを前記ＵＥに指し示すリソース割り当てメッセージを送信することをさらに備える、Ｃ２６に記載の方法。
［Ｃ２８］  前記リソース割り当てメッセージは、メディアアクセス制御（ＭＡＣ）シグナリングを用いて送信される、Ｃ２７に記載の方法。
【図１】
0006800847.tif 000002
【図２】
0006800847.tif 000003
【図３】
0006800847.tif 000004
【図４】
0006800847.tif 000005
【図５】
0006800847.tif 000006
【図６】
0006800847.tif 000007
【図７Ａ】
0006800847.tif 000008
【図７Ｂ】
0006800847.tif 000009
【図８】
0006800847.tif 000010
【図９】
0006800847.tif 000011
【図１０Ａ】
0006800847.tif 000012
【図１０Ｂ】
0006800847.tif 000013
【図１１】
0006800847.tif 000014